(57)【要約】【課題】光ディスク装置において、記録パルスのパルスタイミング補正を短時間で効率的に行えるようにし、記録品質を向上させる技術を提供する。【解決手段】最適記録パワーを用いて記録を行い、再生信号から記録マークの第１のエッジシフト量および第１のジッタ量を測定し、第１の記録ストラテジと第１のジッタ量を記憶手段に格納し、ジッタ量がある閾値より大きい場合には、第１のエッジシフト量に基づき記録パルスのパルスタイミング補正を行い第２のパルスタイミングを形成し、該パルスタイミングを用いた記録再生と記録ストラテジとジッタ量の記憶手段への格納をジッタ量がある閾値以下になるか、もしくは補正回数の制限値に達するまで行い、最終的にジッタ量が最も小さくなった記録ストラテジを採用する。【選択図】図３
2008103017.tif 000002
【特許請求の範囲】
【請求項１】
光ディスクにレーザ光を照射して情報の記録または再生を行う光ディスク装置であって、
上記レーザ光を発光するレーザダイオードと、
所望の記録ストラテジの記録パルスを出力して、前記レーザダイオードを駆動するレーザ駆動回路と、
前記光ディスクからの反射レーザ光に基づく再生信号から前記光ディスクに記録されている記録マークのβ値を測定するβ測定手段と、
前記β値に基づき、目標のβ値を満たす最適な記録パワーを演算により求める最適記録パワー演算手段と、
前記最適な記録パワーで前記光ディスクに記録された情報の再生信号から、前記記録マークのエッジシフト量を測定するエッジシフト量測定手段と、
前記最適な記録パワーで光ディスクに記録された情報の再生信号から、前記記録マークのジッタ量を測定するジッタ量測定手段と、
前記記録ストラテジのパルスタイミング、前記エッジシフト量及び前記ジッタ量を記憶する記憶手段と、
前記記録ストラテジのパルスタイミングと前記エッジシフト量とに基づいて、前記最適な記録パワーにおける記録パルスの最適なパルスタイミングを演算して求めるパルスタイミング演算手段と、
前記レーザ駆動回路、前記β測定手段、前記エッジシフト量測定手段、前記ジッタ量測定手段、前記記憶手段及び前記パルスタイミング演算手段の制御と、前記パルスタイミング演算手段により求められた前記最適なパルスタイミングを前記エッジシフト量に基づいて補正する補正処理と、前記ジッタ量測定手段により測定されたジッタ量に基づいて最適なパルスタイミングを選択する選択処理とを行う制御手段と、を備え、
前記求めた最適な記録パワー及び前記選択処理により選択された最適なパルスタイミングの記録ストラテジにより上記レーザダイオードを駆動して前記光ディスクに情報を記録する構成としたことを特徴とする光ディスク装置。
【請求項２】
前記制御手段は、少なくとも、補正された記録ストラテジと、該補正された記録ストラテジにより記録したマークを上記ジッタ量測定手段により測定して得られたジッタ量とを前記記憶手段に追加して記憶させ、記録ストラテジの補正処理終了後に、前記選択処理において、前記記憶手段に記憶されている記録ストラテジのうち、最もジッタ量の小さい記録ストラテジを選択することを特徴とする請求項１に記載の光ディスク装置。
【請求項３】
前記制御手段は、前記補正された記録ストラテジにより記録した記録マークを再生することによって得られた第１のジッタ量が、前記記憶手段に格納されている第２のジッタ量よりも小さい場合には、少なくとも前記第１のジッタ量と前記補正された記録ストラテジとを記憶手段に記憶させ、記録ストラテジの補正処理終了後に、前記選択処理において、前記記憶手段に格納されている前記記録ストラテジを選択することを特徴とする請求項１に記載の光ディスク装置。
【請求項４】
レーザ光を光ディスクに照射して情報を記録する情報記録方法であって、
所定のパルスタイミングの記録ストラテジで前記光ディスクに記録された情報を再生し、再生信号から、前記光ディスクに記録されている第１の記録マークのβ値を測定し、該測定したβ値に基づき、記録パルスの最適な記録パワーを演算して求める第１のステップと、
前記最適な記録パワーの記録パルスであって所定のパルス幅を有する記録パルスによるレーザ光で光ディスクに第２の記録マークを形成し、前記第２の記録マークを再生して得られる再生信号から、前記第２の記録マークのエッジシフト量とジッタ量を測定する第２のステップと、
前記記録ストラテジと上記測定したジッタ量を記憶手段に格納する第３のステップと、
上記測定したエッジシフト量により、前記記録ストラテジを補正する第４のステップと、
上記格納したジッタ量と、予め設定された閾値とを比較して、前記記録ストラテジの補正を実行するか、終了するかを判断する第５のステップと、
前記記録ストラテジの補正回数が所定回数に達しているか否かにより、前記記録ストラテジの補正を実行するか、終了するかを判断する第６のステップと、
補正された記録ストラテジを用いて、上記第２のステップから第６のステップを繰り返す第７のステップと、
前記記録ストラテジの補正処理の終了後に、最適な記録ストラテジを選択する第８のステップと、
前記選択された最適な記録ストラテジに従ってレーザ光を発生させ、前記光ディスクに情報を記録する第９のステップとを含む情報記録方法。
【請求項５】
前記第３のステップでは、少なくとも、前記補正された記録ストラテジと、前記補正された記録ストラテジにより記録した記録マークを再生して得られたジッタ量とを上記記憶手段に追加して記憶させ、
前記第８のステップでは、前記記憶手段に記憶された記録ストラテジのうち、最もジッタ量の小さい記録ストラテジを選択することを特徴とする請求項４に記載の情報記録方法。
【請求項６】
前記第３のステップでは、前記補正された記録ストラテジにより記録した記録マークを再生することによって得られた第１のジッタ量が、前記記憶手段に格納されている第２のジッタ量よりも小さい場合には、少なくとも前記第１のジッタ量と前記所定の記録ストラテジとを記憶手段に記憶させ、
前記第８のステップでは、前記記憶手段に格納されている前記補正された記録ストラテジを選択することを特徴とする請求項４に記載の情報記録方法。
【請求項７】
所定の記録ストラテジに従ってレーザ光を光ディスクに照射して情報を記録する情報記録方法であって、
前記記録ストラテジのパルスタイミングの補正処理を、制限回数の範囲内で、又は、当該パルスタイミングで形成された記録マークを再生することによって得られるジッタ量が予め設定されている閾値以下となるまで、複数回実行するステップと、
補正された複数のパルスタイミングから最適なパルスタイミングを選択するステップと、
前記最適なパルスタイミングの記録ストラテジで光ディスクに情報を記録するステップとを含む情報記録方法。
【請求項８】
前記補正された複数のパルスタイミングと、当該複数のパルスタイミングに対応するジッタ量とを記憶し、
前記ジッタ量が最小となるパルスタイミングを、最適なパルスタイミングとして選択することを特徴とする請求項７に記載の情報記録方法。
【発明の詳細な説明】
【技術分野】
【０００１】
本発明は、光ディスク装置における情報記録技術に係り、特に、所定の記録ストラテジにおける記録パルスのパルスタイミングを補正する技術に関する。
【背景技術】
【０００２】
一般に、光ディスク装置においては、記録動作に先立ってＯＰＣ（Ｏｐｔｉｍｕｍ  Ｐｏｗｅｒ  Ｃｏｎｔｒｏｌ）処理を行い、所定の記録ストラテジにおける最適記録パワーの記録パルスを発生できるようにしているが、光ディスク装置自体の性能上のばらつきや、光ディスクのばらつきなどによって、該記録パルスの最適記録パルスタイミング位置がばらつくことが多い。
【０００３】
記録パルスのパルスタイミング位置が適切でない場合には、光ディスク上に記録される記録マークのマーク長やエッジ位置などが適正範囲から外れ、再生時にジッタ特性など情報の再生品質を劣化させることになる。このため、従来から、記録パルスのパルスタイミング位置を補正する技術の検討が行われている。
【０００４】
本発明に関連し、光ディスクに情報を記録するための記録ストラテジの補正の技術としては、例えば、特許文献１や特許文献２が知られている。
【０００５】
特許文献１には、「ディスクＩＤを取得する手段と、設定された複数のディスクＩＤが未登録のディスク用のストラテジデータの各々についてＯＰＣを行い、最適レーザパワーと、ジッタ情報又はエラーレート情報を得る手段と、得られたジッタ情報又はエラーレート情報を基に複数の前記ストラテジデータから一つのストラテジデータを選択する手段と、ディスクＩＤ、前記選択されたストラテジデータ及び書き込み時の倍速を記録する手段とを備える光ディスク装置」が記載されている。
【０００６】
また、特許文献２には、「基準ストラテジあるいは基準ストラテジに対して、少なくとも一つの設定パラメータを複数の種類のマークおよびスペースの組み合わせにおいて変化させたライトストラテジで記録されたマーク長およびスペース長を計測する手段と、計測されたマーク長およびスペース長と理論長にに基づいて、ライトストラテジが変化させたことによる各マークおよびスペースのデビエーション値を算出する手段と、算出されたデビエーション値と、各マークおよびスペースの存在確率からすべてのマークおよびスペース固有の伸縮量を算出する手段と、伸縮量等に基づいてジッタ値を算出する手段とを有する光ディスク装置」が記載されている。
【０００７】
【特許文献１】特開２００４−２４６９５６号公報
【特許文献２】特開２００６−４６０１号公報
【発明の開示】
【発明が解決しようとする課題】
【０００８】
上記特許文献１では、パルスタイミングの可変量をあらかじめ設定しておく方法であるため、処理時間が長くなり易いと考えられる。また、特許文献２では、マークとスペースの組み合わせごとに個別に調整していく方式であるため、やはり、処理時間が長くなりやすいと考えられる。
【０００９】
本発明は、上記従来技術の状況に鑑みてなされたものであり、その目的は、記録パルスのパルスタイミング補正を短時間で効率良く行うことができる光ディスク装置及び情報記録方法を提供することである。
【課題を解決するための手段】
【００１０】
上記課題を解決するために、本発明では、例えば、記録ストラテジのパルスタイミングの補正処理の回数に制限を設け、その中で適切なパルスタイミングを選択するような構成とする。
【発明の効果】
【００１１】
本発明によれば、光ディスク装置において、最適記録パワーを有する記録パルスのパルスタイミング補正を短時間に行い、かつ、試し書き領域の浪費を防ぐことができる。
【発明を実施するための最良の形態】
【００１２】
本発明では、例えば、光ディスク装置として、第１のパルスタイミングの記録ストラテジによるＯＰＣ処理により記録パルスの最適記録パワーを求め、該最適記録パワーの記録パルスで記録を行い、再生信号から記録マークの第１のエッジシフト量および第１のジッタ量を測定し、第１の記録ストラテジと第１のジッタ量を記憶手段に格納し、ジッタ量がある閾値より大きい場合には、第１のエッジシフト量に基づき記録パルスのパルスタイミング補正を行い第２のパルスタイミングを形成し、該パルスタイミングを用いた記録再生と記録ストラテジとジッタ量の記憶手段への格納をジッタ量がある閾値以下になるか、もしくは補正回数の制限値に達するまで行い、最終的にジッタ量が最も小さくなった記録ストラテジを採用する構成とするものである。
【００１３】
以下、本発明に従う光ディスク装置及び情報記録方法の実施形態につき、図面を用いて説明する。
【００１４】
図１〜５は本発明の実施形態の説明図である。図１は本発明の実施形態としての光ディスク装置の構成例図、図２は図１の光ディスク装置における、実施例１で使用するメモリの説明図、図３は図１の光ディスク装置において、実施例１の記録ストラテジ調整を実施する場合の動作説明図、図４は図１の光ディスク装置における、実施例２で使用するメモリの説明図、図５は図１の光ディスク装置において、実施例２の記録ストラテジ調整を実施する場合の動作説明図である。
【００１５】
本発明に従う光ディスク装置１は、光ディスク２を回転駆動するディスクモータ３と、光ピックアップ４と、アナログフロントエンド（以下、ＡＦＥとする）９と、モータ駆動回路１１と、移動案内機構部１０と、ＤＳＰ（Digital Signal Processor）２０と、マイコン３０とを有する。
【００１６】
光ディスク装置１により記録再生される光ディスク２としては、ＣＤ、ＤＶＤ、青色レーザ用ディスクなどの光ディスクなどを用いることができる。しかし、本発明では、これらに限定されるものではない。
【００１７】
光ピックアップ４は、対物レンズ５と、レーザダイオード６と、レーザ駆動回路と、受光部とを有する。レーザダイオード６は、記録又は再生のために所定の強度のレーザ光を発生することができ、レーザ駆動回路６は、レーザダイオード６を駆動することができる。受光部８は、対物レンズ５を介して光ディスク２の記録面からの反射レーザ光を受光して電気信号に変換し、出力する。
【００１８】
ＡＦＥ９は、受光部８からの信号を増幅するなどアナログ処理する。
【００１９】
移動案内機構部１０は、光ピックアップ４を光ディスク２の略半径方向に移動させることができる。移動案内機構部１０は、例えば、直線状のガイド部材（図示しない）、リードスクリュー部材（図示しない）、リードスクリュー部材を回転駆動するスライドモータ（図示しない）などを用いて構成することができる。
【００２０】
モータ駆動回路１１は、ディスクモータ３と移動案内機構部１０を駆動する。
【００２１】
ＤＳＰ２０は、モータ制御部２１、再生信号処理部２２、β測定手段２３、最適記録パワー演算手段２４、エッジシフト量測定手段２５、パルスタイミング演算手段２６、ジッタ量測定手段２７、及び、メモリ２８を有する。
【００２２】
モータ制御部２１は、モータ駆動回路１１を制御する。再生信号処理部２２は、受光部８からの再生信号をアナログフロントエンド９を介して、ＲＦ信号や、トラッキングエラー信号や、フォーカスエラー信号として処理する。
【００２３】
β測定手段２３は、再生信号から、光ディスク２に記録されている記録マークのβ値を測定する。また、最適記録パワー演算手段２４は、β測定手段２３で測定したβ値に基づき、目標のβ値を満たす最適な記録パワーを演算する。
【００２４】
エッジシフト量測定手段２５は、光ディスクに記録された情報の再生信号から、記録マークのエッジシフト量を測定する。パルスタイミング演算手段２６は、記録ストラテジのパルスタイミングと、エッジシフト量測定手段２５によって測定されたエッジシフト量とに基づき、記録パルスの最適なパルスタイミングを演算する。
【００２５】
ジッタ量測定手段２７は、光ディスクに記録された情報の再生信号から、記録マークのジッタ量を測定する。
【００２６】
記憶手段としてのメモリ２８には、記録ストラテジのパルスタイミングや上記測定されたエッジシフト量などが記憶される。
【００２７】
マイコン３０は、ＤＳＰ２０を制御する制御手段として機能する。
【００２８】
光ディスク装置１が記録動作を行うとき、該記録動作に先立ってマイコン３０は、ＤＳＰ２０内の、少なくともモータ制御部２１、β測定手段２３、最適記録パワー演算手段２４、エッジシフト量測定手段２５、パルスタイミング演算手段２６及びジッタ量測定手段２７を制御し、ＯＰＣ処理による記録パルスの最適記録パワーの演算と、記録パルスの最適なパルスタイミングの演算とを行わせ、レーザ駆動回路７からレーザダイオード６に、パルスタイミングが最適な状態に補正されかつ最適記録パワーを有する記録パルスが出力されるようにする。すなわち、光ディスク装置１が記録を行うとき、該記録動作に先立ってマイコン３０は、光ディスク２に応じた記録ストラテジの読み込みを行い、該読み込んだ記録ストラテジすなわち第１のパルスタイミングの記録ストラテジによるＯＰＣ処理を光ディスク装置１に行わせる。
【００２９】
ＯＰＣ処理においては、上記第１のパルスタイミングの記録ストラテジの記録パルスをレーザ駆動回路７から出力させてレーザダイオード６を駆動させ光ディスク２上に情報記録を行わせる。その後、記録された情報の再生信号から、光ディスク２に記録されている記録マークのβ値をβ測定手段２３に測定させ、測定したβ値に基づき、最適記録パワー演算手段２４に記録パルスの最適な記録パワーを演算させる。
【００３０】
ＯＰＣ処理後、レーザ駆動回路７から該最適記録パワーの記録パルスを出力させて、レーザダイオード６の発光により光ディスク２に記録を行い、記録された記録マークのエッジシフト量（第１のエッジシフト量）をエッジシフト量測定手段２５に測定させ、記録された記録マークのジッタ量（第１のジッタ量）をジッタ量測定手段２７に測定させ、少なくとも第１のパルスタイミングと第1のジッタ量をメモリに格納する。
【００３１】
該測定したジッタ量がある閾値以下（例えばジッタ１０％以下）となっていない場合には、さらに、該測定した記録マークの第１のエッジシフト量に基づき、上記第１のパルスタイミングの記録ストラテジの記録パルスのタイミング補正をマイコン３０に行わせ、記録ストラテジの第２のパルスタイミングを形成する。その後、レーザ駆動回路７からパルス幅を変えた記録パルスを出力させて光ディスク２上に記録を行わせ、その再生信号から記録マークの第２のエッジシフト量をエッジシフト量測定手段２５に測定させ、記録マークの第２のジッタ量をジッタ量測定手段２７に行わせる。少なくとも第２のパルスタイミングと第２のジッタ量をメモリ２８に追加して格納する。
【００３２】
以降、測定したジッタ量がある閾値以下とならなければ、パルスタイミングの補正を繰り返し、パルスタイミングとジッタ量をメモリ２８に追加して格納する。該補正処理の回数には制限を設けておき、制限回数まで補正処理を行っても、ジッタ量がある閾値以下とならなければ、補正処理を中断する。
【００３３】
測定したジッタ量が補正処理の制限回数に達する前に、ある閾値以下となった場合には補正処理を中断する。
【００３４】
補正処理の終了後に、メモリ２８の中から最もジッタ量が小さい場合のパルスタイミングを検索し、採用する。
【００３５】
採用したパルスタイミングを用いて再度ＯＰＣ処理を行い、採用したパルスタイミングに対する最適記録パワーを求めて処理を終了する。
【００３６】
なお、最適な記録パワーとは、最適な範囲の記録パワーであって本発明を有効に構成するに足る範囲の記録パワーを意味し、同様に、記録パルスの最適なパルスタイミングは、記録パルスの最適な範囲のパルスタイミングであって本発明を有効に構成するに足る範囲の記録パルスのパルスタイミングを意味するものとする。
【００３７】
また、以下の説明中で用いる図１の光ディスク装置１の構成要素には、図１の場合と同じ符号を付して用いるとする。
【００３８】
図２は、図１の光ディスク装置１における、実施例１で使用するメモリの説明図である。記録ストラテジのパルスタイミングの補正を複数回実施する場合、この実施回数をＮ回として、パルスタイミングの補正を実施するたびに、少なくとも記録ストラテジのパルスタイミング、再生して得られたジッタ量を格納できるようにメモリを用意する。
【００３９】
図３は、図１の光ディスク装置１において、実施例１の記録ストラテジ調整を実施する場合の動作説明図である。
【００４０】
以下、記録ストラテジ調整時の光ディスク装置１の動作について説明する。
【００４１】
（１）光ディスク装置１が記録を行うとき、該記録動作に先立って、マイコン３０は、ＯＰＣ処理の指示を出す（ステップＳ３０１）。
【００４２】
（２）マイコン３０は、光ディスク２に応じた記録ストラテジの読み込みを行い、ＯＰＣ処理を実行する（ステップＳ３０２）。すなわち、マイコン３０は該記録ストラテジの記録パルスをレーザ駆動回路７から出力させてレーザダイオード６を駆動させ、光ディスク２上に情報記録し、その再生信号から、該光ディスク２に記録された記録マークのβ値をβ測定手段２３に測定させ、該測定したβ値に基づき、最適記録パワー演算手段２４に記録パルスの最適な記録パワーＰｏｐｔを演算させる。
【００４３】
なお、マイコン３０は光ディスク２に対して、あらかじめマイコン３０に用意した記録ストラテジが無い場合には、基準記録ストラテジを読み込んでも良い。
【００４４】
（３）上記ＯＰＣ処理後、マイコン３０はレーザ駆動回路７から該最適記録パワーＰｏｐｔの記録パルスを出力させてレーザダイオード６の発光により光ディスク２上に１ブロック分の記録を行う（ステップＳ３０３）。
【００４５】
（４）マイコン３０は、上記ステップＳ３０３において記録された記録マークのエッジシフト量をエッジシフト量測定手段２５に測定させ、該記録マークのジッタ量をジッタ量測定手段２７に測定させる（ステップＳ３０４）。
【００４６】
（５）マイコン３０は、上記ステップＳ３０３において記録したときの記録ストラテジデータと上記ステップＳ３０４において測定したジッタ量をメモリ２８のメモリ[１]に記憶させる（ステップＳ３０５）。
【００４７】
（６）マイコン３０は、上記ステップＳ３０４において測定したジッタ量を、ある閾値と比較し、ジッタ量が、ある閾値を超えているか否か判定する（ステップ３０６）。ある閾値以下（例えば１０％以下）であれば、記録品質が十分良好であると判断し、ストラテジの判定（ステップＳ３１０）に進む。一方、該ジッタ量がある閾値よりも大きい場合は、補正回数が制限値を超えていないか判定する処理（ステップＳ３０７）に進む。
【００４８】
（７）マイコン３０は、ステップＳ３０７においては、補正回数がある閾値（例えば１０回）を超えているか否かを判断する。補正回数がある閾値以下であれば、補正処理を続けるためにステップＳ３０８に進む。補正回数がある閾値よりも大きければ、通算の処理時間が大きくなり過ぎたと判断して、補正処理を中止し、ストラテジの判定（ステップＳ３１０）に進む。
【００４９】
（８）マイコン３０は、ステップＳ３０８においては、補正回数の変数を１つ加算し、次に行う補正結果を格納すべきメモリの格納場所を変更しておく。
【００５０】
（９）マイコン３０は、ステップ３０９においては、ステップＳ３０４で取得したシフト量とジッタ量とに基づき、記録ストラテジの補正を行う。ここで、記録ストラテジの補正とは、記録パワーの補正、パルスタイミングの補正を含む。次に、該補正した記録ストラテジを使用して、ステップＳ３０３に進み、記録を行う。
【００５１】
（１０）以上、ステップＳ３０３からステップＳ３０９の処理を繰り返していき、ステップＳ３０６においてジッタ量が閾値以下になった場合と、ステップＳ３０７において補正回数が閾値よりも大きくなった場合には、補正処理を停止する。そして、ステップＳ３１０においてメモリ３０のジッタ量を比較し、最も小さいジッタ量を持つ記録ストラテジを選択する。これにより、補正回数が制限にかかった場合であっても、補正した中で最も記録品質の良い記録ストラテジを選択することが可能となる。
【００５２】
（１１）次に、マイコン３０は、ステップＳ３１０において選択した記録ストラテジを使用して、再度ＯＰＣ処理を行い、選択した記録ストラテジにおける最適記録パワーを求める（ステップＳ３１１）。
【００５３】
（１２）以上説明したステップＳ３０１からステップＳ３１１の処理により、記録ストラテジの補正処理が終了し、マイコン３０は、光ディスク装置１に、光ディスク２への情報記録を開始させる（ステップＳ３１２）。
【００５４】
上記ステップＳ３０１からＳ３１２の一連の手順は、メモリ２８など光ディスク装置１内の記憶手段に記憶されたプログラムに従ってマイコン３０が自動的に実行する。
【００５５】
上記実施形態の光ディスク装置１によれば、補正回数に制限を設けているために規定の時間内に補正処理を終了することができ、記録ストラテジの調整が規定回数内で終了しなかった場合にも、調整した記録ストラテジの中で最適な記録ストラテジを選択することができる。このため、記録動作を迅速に行うことができ、装置の使い勝手を向上させることができる。
【００５６】
なお、上記実施形態では、制御手段としてのマイコン３０やアナログ処理を行うアナログフロントエンド９をＤＳＰ２０とは別個に設ける構成としたが、本発明はこれに限定されず、マイコンやアナログフロントエンドはＤＳＰ内に一体的に含まれる構成であってもよい。
【００５７】
なお、上記実施例において、記録品質の判定はジッタ量を用いて行っているが、誤り訂正信号やエッジシフト量を用いて行ってもよい。
【００５８】
図４は図１の光ディスク装置における、実施例２で使用するメモリの説明図である。少なくとも記録ストラテジのパルスタイミング、再生して得られたジッタ量を１回分格納できるようにメモリを用意する。
【００５９】
図５は図１の光ディスク装置において、実施例２の記録ストラテジ調整を実施する場合の動作説明図である。
【００６０】
以下、実施例２の記録ストラテジ調整時における光ディスク装置１の動作について説明する。
【００６１】
（１）光ディスク装置１が記録を行うとき、該記録動作に先立って、マイコン３０は、ＯＰＣ処理の指示を出す（ステップＳ５０１）。
【００６２】
（２）マイコン３０は光ディスク２に応じた記録ストラテジの読み込みを行い、ＯＰＣ処理を実行する（ステップＳ５０２）。すなわち、マイコン３０は該記録ストラテジの記録パルスをレーザ駆動回路７から出力させてレーザダイオード６を駆動させ、光ディスク２上に情報記録し、その再生信号から、該光ディスク２に記録された記録マークのβ値をβ測定手段２３に測定させ、該測定したβ値に基づき、最適記録パワー演算手段２４に記録パルスの最適な記録パワーＰｏｐｔを演算させる。
【００６３】
（３）上記ＯＰＣ処理後、マイコン３０はレーザ駆動回路７から該最適記録パワーＰｏｐｔの記録パルスを出力させてレーザダイオード６の発光により光ディスク２上に１ブロック分の記録を行う（ステップＳ５０３）。
【００６４】
（４）マイコン３０は、上記ステップＳ５０３において記録された記録マークのエッジシフト量をエッジシフト量測定手段２５に測定させ、該記録マークのジッタ量をジッタ量測定手段２７に測定させる（ステップＳ５０４）。
【００６５】
（５）マイコン３０は、ジッタ測定が初回であるかの判断を行い、初回であれば、ステップＳ５０７に進み、初回でなければ、ステップＳ５０８に進む（ステップＳ５０５）。
【００６６】
（６）マイコン３０は、ステップＳ５０６においては、ステップＳ５０４で測定したジッタ量とメモリ[１]のジッタ量の比較を行い、ステップＳ５０４で測定したジッタ量がメモリ[１]のジッタ量よりも小さい場合にはステップＳ５０７に進み、そうでない場合には、ステップＳ５０８に進む。
【００６７】
（７）マイコン３０は、ステップＳ５０７においては、ステップＳ５０３の記録に用いた記録ストラテジとステップＳ５０４で測定したジッタ量とをメモリ[１]に上書きする。
【００６８】
ステップＳ５０５からステップＳ５０７の処理によって、メモリ[１]には常にジッタ量が最小となる記録ストラテジとジッタ量が格納されている。
【００６９】
（８）マイコン３０は、メモリ[１]に格納されているジッタ量が、ある閾値より大きいか否かを判定する（ステップＳ５０８）。ある閾値以下（例えば１０％以下）であれば、記録品質が十分良好であると判断し、ステップＳ５１２に進む。該ジッタ量がある閾値よりも大きい場合は、補正回数が制限値を超えていないか判定する処理（ステップＳ５０９）に進む。
【００７０】
（９）マイコン３０は、ステップＳ５０９においては、補正回数がある閾値（例えば１０回）を超えているか否かを判断する。補正回数がある閾値以下であれば、補正処理を続けるためにステップＳ５１０に進む。補正回数がある閾値よりも大きければ、通算の処理時間が大きくなり過ぎたと判断して、補正処理を中止し、ステップＳ５１２に進む。
【００７１】
（１０）マイコン３０は、ステップＳ５１０においては、補正回数の変数を１つ加算する。
【００７２】
（１１）マイコン３０は、ステップＳ５１１においては、ステップＳ５０４で取得したシフト量、ジッタ量に基づき、記録ストラテジの補正を行う。ここで、記録ストラテジの補正とは、記録パワーの補正、パルスタイミングの補正を含む。次に、該補正した記録ストラテジを使用して、ステップＳ５０３に進み、記録を行う。
【００７３】
（１２）以上説明したステップＳ５０３からステップＳ５１１の処理を繰り返していき、ステップＳ５０８においてジッタ量が閾値以下になった場合と、ステップＳ５１１において補正回数が閾値よりも大きくなった場合には、補正処理を停止し、ステップＳ５１２においてメモリ[１]に格納されている記録ストラテジを選択する。これにより、補正回数が閾値よりも大きい場合においても、補正した中で最も記録品質の良い記録ストラテジを選択することが可能となる。
【００７４】
（１３）次に、マイコン３０は、ステップＳ５１２において選択した記録ストラテジを使用して、再度ＯＰＣ処理を行い、選択した記録ストラテジにおける最適記録パワーを求める（ステップＳ５１３）。
【００７５】
（１４）上記ステップＳ５０１からステップＳ５１３の処理により、記録ストラテジの補正処理を終了する。マイコン３０は、光ディスク装置１に、光ディスク２への情報記録を開始させる（ステップＳ５１４）。
【００７６】
上記ステップＳ５０１からＳ５１４の一連の手順は、メモリ２８など光ディスク装置１内の記憶手段に記憶されたプログラムに従ってマイコン３０が自動的に実行する。
【００７７】
上記実施形態の光ディスク装置１によれば、補正回数に制限を設けているために規定の時間内に補正処理を終了することができ、記録ストラテジの調整が規定回数内で終了しなかった場合にも、調整した記録ストラテジの中で最適な記録ストラテジを選択することができる。このため、記録動作を迅速に行うことができ、装置の使い勝手を向上させることができる。また、実施例１と比較して、メモリの量を削減することが可能である。
【００７８】
以上説明したように、本発明に従う光ディスク装置は、最適記録パワーを有する記録パルスのパルスタイミング補正を短時間に行い、かつ、試し書き領域の浪費を防ぐことができる。このため、記録動作を迅速に行うことができ、光ディスク装置の使い勝手を向上させることができる。
【００７９】
以上、本発明に従う光ディスク装置及び情報記録方法の実施の形態について説明したが、本発明はこれに限定されるものではなく、本発明の趣旨を逸脱しない範囲において種々の変更や改良を行っても良い。
【図面の簡単な説明】
【００８０】
【図１】本発明の実施形態としての光ディスク装置の構成例図である。
【図２】図１の光ディスク装置における実施例１で用いるメモリの説明図である。
【図３】図１の光ディスク装置における実施例１の記録ストラテジ調整処理の説明図である。
【図４】図１の光ディスク装置における実施例２で用いるメモリの説明図である。
【図５】図１の光ディスク装置における実施例２の記録ストラテジ調整処理の説明図である。
【符号の説明】
【００８１】
１…光ディスク装置
２…光ディスク
３…ディスクモータ
４…光ピックアップ
５…対物レンズ
６…レーザダイオード
７…レーザ駆動回路
８…受光部
９…アナログフロントエンド
１０…移動・案内機構部
１１…モータ駆動回路
２０…ＤＳＰ
２１…モータ制御部
２２…再生信号処理部
２３…β測定手段
２４…最適記録パワー演算手段
２５…エッジシフト量測定手段
２６…パルスタイミング演算手段
２７…ジッタ量測定手段
２８…メモリ
３０…マイコン
【図１】
2008103017.tif 000003
【図２】
2008103017.tif 000004
【図３】
2008103017.tif 000005
【図４】
2008103017.tif 000006
【図５】
2008103017.tif 000007